(57)【要約】【課題】本体からの蓋体の着脱が容易な筒状容器を提供すること。【解決手段】この筒状容器は、上方に開口した本体１と、本体１の上部に外嵌する蓋体２を有する筒状容器であって、蓋体２は、本体１装着時における本体１の上端より上方に通気制御手段３を有しており、通気制御手段３は、ボタン３０と、ボタン３０の後側に取り付けられる軸部材と、蓋体２の周壁２ａから内方に凹むように形成されたボタン収容部と、ボタン収容部の壁に設けられ筒状容器内部に通じるとともに軸部材が貫通する通気孔と、ボタン３０を前方へ付勢する付勢部材と、軸部材の後側端部に設けられた通気孔閉塞部材からなり、ボタン３０を離しているときは、通気孔閉塞部材が通気孔を塞いで空気の出入りが不可能となり、ボタン３０を押しているときは、通気孔を介して空気の出入りが可能となるようにしている。【選択図】図１
2010001062.tif 000002
【特許請求の範囲】
【請求項１】
上方に開口した本体と、本体の上部に外嵌する蓋体を有する筒状容器であって、蓋体は、本体装着時における本体の上端より上方に通気制御手段を有しており、通気制御手段は、ボタンと、ボタンの後側に取り付けられる軸部材と、蓋体の周壁の内方に凹むように形成されたボタン収容部と、ボタン収容部の壁に設けられ筒状容器内部に通じるとともに軸部材が貫通する通気孔と、ボタンを前方へ付勢する付勢部材と、軸部材の後側端部に設けられた通気孔閉塞部材からなり、ボタンを離しているときは、通気孔閉塞部材が通気孔を塞いで空気の出入りが不可能となり、ボタンを押しているときは、通気孔を介して空気の出入りが可能となるようにしたことを特徴とする筒状容器。
【請求項２】
付勢部材が、ボタン収容部内に配された軸部材を囲むコイルばねである請求項１記載の筒状容器。
【請求項３】
通気孔閉塞部材が、弾力性を有する、通気孔より大きな径を有するものである請求項１又は２記載の筒状容器。
【発明の詳細な説明】
【技術分野】
【０００１】
この発明は、お茶の葉や海苔などを収容する筒状容器に関するものである。
【背景技術】
【０００２】
お茶の葉や海苔などを収容する筒状容器としては、特許文献１に記載のような上方に開口した本体と、本体の上部に外嵌する蓋体等からなるものがある。この種の筒状容器は、湿気の防止のため密閉性が高くされているが、筒状容器内外への空気の出入りがほとんどないため、本体から蓋体を取り外すとき、蓋体が容易に抜けず、また、本体に蓋体を装着するときには、蓋体を本体側に容易に押し込むことができず、本体からの蓋体の着脱に困難が生じていた。
【特許文献１】実用新案登録第３１２２５２７号公報
【発明の開示】
【発明が解決しようとする課題】
【０００３】
そこで、この発明は、本体からの蓋体の着脱が容易な筒状容器を提供することを課題とする。
【課題を解決するための手段】
【０００４】
前記課題を解決するため、この発明は次のような技術的手段を講じている。
【０００５】
この発明の筒状容器は、上方に開口した本体と、本体の上部に外嵌する蓋体を有する筒状容器であって、蓋体は、本体装着時における本体の上端より上方に通気制御手段を有しており、通気制御手段は、ボタンと、ボタンの後側に取り付けられる軸部材と、蓋体の周壁の内方に凹むように形成されたボタン収容部と、ボタン収容部の壁に設けられ筒状容器内部に通じるとともに軸部材が貫通する通気孔と、ボタンを前方へ付勢する付勢部材と、軸部材の後側端部に設けられた通気孔閉塞部材からなり、ボタンを離しているときは、通気孔閉塞部材が通気孔を塞いで空気の出入りが不可能となり、ボタンを押しているときは、通気孔を介して空気の出入りが可能となるようにしたものとしている。
【０００６】
付勢部材は、ボタン収容部内に配された軸部材を囲むコイルばねとすることができる。
【０００７】
また、通気孔閉塞部材は、弾力性を有する、通気孔より大きな径を有するものとすることができる。
【発明の効果】
【０００８】
この発明の筒状容器は、上述のような構成を有しており、ボタンを押しているとき、通気孔を介して空気の出入りが可能となるため、本体からの蓋体の着脱が容易なものとなっている。
【発明を実施するための最良の形態】
【０００９】
以下、この発明の好適な実施形態を、図面を参照して説明する。
【００１０】
図１はこの発明の実施形態の筒状容器の斜視図、図２は蓋体２の底面図、図３は蓋体２の分解斜視図、図４は蓋体２の横断面図、図５は蓋体２の通気制御手段３の説明図（ボタン３０を離した状態）、図６は蓋体２の通気制御手段３の説明図（ボタン３０を押した状態）、図７は蓋体２を取り外す様子を示す斜視図である。
【００１１】
この筒状容器は、上方に開口した本体１と、本体１の上部１ａに外嵌する蓋体２を有する筒状容器であって、蓋体２は、本体１装着時における本体１の上端より上方に通気制御手段３を有しており、通気制御手段３は、ボタン３０と、ボタン３０の後側に取り付けられる軸部材３１と、蓋体２の周壁２ａから内方に凹むように形成されたボタン収容部３２と、ボタン収容部３２の壁に設けられ筒状容器内部に通じるとともに軸部材３１が貫通する通気孔３３と、ボタン３０を前方へ付勢する付勢部材３４と、軸部材３１の後側端部に設けられた通気孔閉塞部材３５からなり、ボタン３０を離しているときは、通気孔閉塞部材３５が通気孔３３を塞いで空気の出入りが不可能となり、ボタン３０を押しているときは、通気孔３３を介して空気の出入りが可能となるようにしたものである。
【００１２】
本体１は、従来のお茶の葉や海苔などを収容する筒状容器と同様の材質（金属、プラスチック等）、形状のものとすることができる。蓋体２も、通気制御手段３に関する箇所を除き、従来の筒状容器と同様の材質、形状のものとすることができる。
【００１３】
この実施形態では、本体１は略有底円筒状であり、蓋体２が外嵌する上部１ａの径をやや小さくし、蓋体２の周壁２ａの下端が位置する箇所の外周に接触面１ｂを形成したものとしている（図７）。
【００１４】
蓋体２は、本体１の上部１ａにほぼ隙間なく嵌合する周壁２ａを備えたものであり、周壁２ａの上端部付近に横長の長方形状に凹んだ部分を形成して、これをボタン収容部３２としている。
【００１５】
ボタン３０は、ボタン収容部３２の開口よりやや小さな略直方体形状であり、その前面は蓋体２の周壁２ａの曲面よりやや大きな曲率の曲面状であり、その左右両側部は後方に延びるとともに空気を出入りさせるための凹部３０ａが設けられた形状としている。
【００１６】
軸部材３１は、ボタン３０の後側（裏側）にボタン３０と一体に形成された細長い丸筒状のものとしている。軸部材３１の断面径は通気孔３３より小さく、通気孔３３を貫通した軸部材３１と通気孔３３周囲の壁との間に空気の通る隙間ができるようにしている。
【００１７】
ボタン収容部３２は、後面側、上下各面側及び左右各面側を蓋体２の周壁２ａと一体に形成された壁で区画された部分となっており、前面側が開口し、後面側の壁に通気孔３３が設けられている。
【００１８】
付勢部材３４は、軸部材３１を囲むコイルばねとしている。この付勢部材３４は、前端部がボタン３０の後側又は軸部材３１の前端部に接着等により固定され、ボタン収容部３２内に配される。付勢部材３４の内径は、軸部材３１及び通気孔３３よりも大きいものとしている。付勢部材３４は、その後端部がボタン収容部３２の後側の通気孔３３の周囲の壁に接して、ボタン３０を前方（筒状容器の外方、使用者の手前側）に押し出すように付勢する。
【００１９】
通気孔閉塞部材３５は、軟質プラスチック等の弾力性のある素材よりなる、通気孔３３より大きな径を有する裏面が平面である凸レンズ状であり、裏面の中央に軸部材３１の後側（ボタン３０の反対側）の端部に固定される短い丸棒状の接続部３５ａが一体に形成されている。
【００２０】
通気制御手段３は、前述の部材３０〜３５からなるものであり、図３に示したように、ボタン３０と一体の軸部材３１に付勢部材３４が取り付けられ、通気孔３３を貫通した軸部材３１の端部に、蓋体２の内部に位置する通気孔閉塞部材３５の接続部３５ａが差し込まれ、固定されることにより完成する。
【００２１】
この筒状容器は、ボタン３０を離しているときには、図４、図５に示したように、付勢部材３４によりボタン３０が前方に押し出され、通気孔閉塞部材３５が通気孔３３の周囲の壁面に密着し、通気孔３３を塞ぐ。そのため、筒状容器は空気の出入りが不可能になり、湿気が防止される。
【００２２】
一方、ボタン３０を押しているときには、図６に示したように、軸部材３１が通気孔３３の後方へ移動し、通気孔閉塞部材３５が通気孔３３の周囲の壁面から離れる。そのため、通気孔３３及びボタン３０の凹部３０ａを介して空気の出入りが可能となり、比較的小さい力で、図７に示したように蓋体２を着脱することができる。
【００２３】
なお、この発明は、前述の実施形態に限定されるものではなく、素材、形状、寸法等を適宜変更することができる。
【図面の簡単な説明】
【００２４】
【図１】この発明の実施形態の筒状容器の斜視図である。
【図２】この発明の実施形態の筒状容器の蓋体の底面図である。
【図３】この発明の実施形態の筒状容器の蓋体の分解斜視図である。
【図４】この発明の実施形態の筒状容器の蓋体の横断面図である。
【図５】この発明の実施形態の筒状容器の蓋体の通気制御手段の説明図（ボタンを離した状態）である。
【図６】この発明の実施形態の筒状容器の蓋体の通気制御手段の説明図（ボタンを押した状態）である。
【図７】この発明の実施形態の筒状容器の蓋体を取り外す様子を示す斜視図である。
【符号の説明】
【００２５】
１  本体
２  蓋体
３  通気制御手段
３０  ボタン
３１  軸部材
３２  ボタン収容部
３３  通気孔
３４  付勢部材
３５  通気孔閉塞部材
【図１】
2010001062.tif 000003
【図２】
2010001062.tif 000004
【図３】
2010001062.tif 000005
【図４】
2010001062.tif 000006
【図５】
2010001062.tif 000007
【図６】
2010001062.tif 000008
【図７】
2010001062.tif 000009